(57)【特許請求の範囲】
【請求項１】
横断面がロの字形状の垂直固定フレームと、前記垂直固定フレームに挿入されてスライド可能に垂直に取り付けられたスライドフレームと、一端が前記垂直固定フレームの上部の一方の側に固定され、前記スライドフレームの下部に設けられたガイドローラと前記垂直固定フレームの上部の他方の側に設けられたガイドローラとに掛けられたベルトまたはワイヤが牽引または巻戻しされることにより前記スライドフレームが昇降する固定フレーム部昇降機構とを備えたことを特徴とするスライド式昇降装置。
【請求項２】
横断面がロの字形状の垂直固定フレームと、横断面がロの字形状の１段目のスライドフレームが前記垂直固定フレームに挿入されてスライド可能に垂直に取り付けられ横断面がロの字形状の２段目のスライドフレームが前記１段目のスライドフレームに挿入されてスライド可能に垂直に取り付けられ順次同様に横断面がロの字形状のＮ段目のスライドフレームが前段のスライドフレームに挿入されてスライド可能に垂直に取り付けられるＮ個のスライドフレームと、一端が前記垂直固定フレームの上部の一方の側に固定され、前記１段目のスライドフレームの下部に設けられたガイドローラと前記垂直固定フレームの上部の他方の側に設けられたガイドローラとに掛けられたベルトまたはワイヤが牽引または巻戻しされることにより前記１段目のスライドフレームが昇降する固定フレーム部昇降機構と、両端が前記垂直固定フレームまたは前段のスライドフレームの上部にそれぞれ固定され、当該スライドフレームの上部の一方の側に設けられたガイドローラと後段のスライドフレームの下部に設けられたガイドローラと前記当該スライドフレームの上部の他方の側に設けられたガイドローラとに掛けられたベルトまたはワイヤにより、当該スライドフレームが昇降したとき、後段のスライドフレームを昇降させ前記スライドフレームに取り付けられるスライドフレーム部昇降機構とを備えたことを特徴とする多段スライドのスライド式昇降装置。
【発明の詳細な説明】
【０００１】
【発明の属する技術分野】
本発明は、昇降装置に関し、特に、昇降移動量を任意に設定できる簡潔構造で廉価のスライド式昇降装置に関する。
【０００２】
【従来の技術】
工場を初め一般住宅などで比較的高い所に配置する電線や配管などの工事やメンテナンスなどの作業を行うときには、従来から組立式作業台が使用されている。
【０００３】
図３は、従来から使用されている組立式作業台１の側面図を示す。組立式作業台１は、複数のフレームにより立体形状に組まれた複数の作業台ユニット２が垂直方向に継手３により止められて組立てられ、最上段の作業台ユニット２の上部には足場４が取り付けられる。
【０００４】
足場４で作業を行うときには、足場４の高さが作業に合うように作業を行う高さごとに作業台ユニット２を複数個組み立て、作業者が足場４まで昇り作業を行うことができる。
【０００５】
しかし、組立式作業台１は、作業台ユニット２の組立個数を作業を行う高さごとに決めて組立てなければならず組立に多大の工数を必要とし、また作業者が足場４まで昇る作業は極めて煩わしいものとなっていた。
【０００６】
こうした問題を解決するため、足場の下面に垂直に油圧式のシリンダを設け足場を昇降させる作業用の昇降装置の試みがある。この作業用の昇降装置は、足場を下降位置にして作業者が乗り所望の高さまで上昇させ作業を行うことができ、作業を容易に且つ効率的に行うことができる。
【０００７】
【発明が解決しようとする課題】
しかしながら、前記作業用の昇降装置には、次のような問題があった。
【０００８】
上記したごとく、作業用の昇降装置は作業者を乗せ所望の高さまで上昇させ作業を行うことができ、作業を容易に且つ効率的に行うことができるが、作業者が乗る所の昇降機構は油圧で行っているためシリンダと油圧制御機構を設けなければならず、コスト高にならざるを得ないという問題があった。
【０００９】
さらに、昇降移動量も垂直に設けたシリンダの長さ内（ピストンの移動量）に制限されるため、昇降移動量を大きくするためシリンダの長さを長くしピストンの移動量を大きくすると下降させて作業者が乗る下降位置は長くしたシリンダの上端となり高すぎてしまい、昇降移動量は大きく取れず足場の位置を高くとれないという問題があった。
【００１０】
本発明は、上記に鑑みてなされたものであって、任意の下降位置から昇降移動量を任意の高さにまで自在に設定できる簡潔構造で廉価のスライド式昇降装置を提供することを目的とする。
【００１１】
【課題を解決するための手段】
そこで、本発明のスライド式昇降装置は、横断面がロの字形状の垂直固定フレームと、前記垂直固定フレームに挿入されてスライド可能に垂直に取り付けられたスライドフレームと、一端が前記垂直固定フレームの上部の一方の側に固定され、前記スライドフレームの下部に設けられたガイドローラと前記垂直固定フレームの上部の他方の側に設けられたガイドローラとに掛けられたベルトまたはワイヤが牽引または巻戻しされることにより前記スライドフレームが昇降する固定フレーム部昇降機構とを備えたことを特徴とする。
【００１２】
また、本発明のスライド式昇降装置は、横断面がロの字形状の垂直固定フレームと、横断面がロの字形状の１段目のスライドフレームが前記垂直固定フレームに挿入されてスライド可能に垂直に取り付けられ横断面がロの字形状の２段目のスライドフレームが前記１段目のスライドフレームに挿入されてスライド可能に垂直に取り付けられ順次同様に横断面がロの字形状のＮ段目のスライドフレームが前段のスライドフレームに挿入されてスライド可能に垂直に取り付けられるＮ個のスライドフレームと、一端が前記垂直固定フレームの上部の一方の側に固定され、前記１段目のスライドフレームの下部に設けられたガイドローラと前記垂直固定フレームの上部の他方の側に設けられたガイドローラとに掛けられたベルトまたはワイヤが牽引または巻戻しされることにより前記１段目のスライドフレームが昇降する固定フレーム部昇降機構と、両端が前記垂直固定フレームまたは前段のスライドフレームの上部にそれぞれ固定され、当該スライドフレームの上部の一方の側に設けられたガイドローラと後段のスライドフレームの下部に設けられたガイドローラと前記当該スライドフレームの上部の他方の側に設けられたガイドローラとに掛けられたベルトまたはワイヤにより、当該スライドフレームが昇降したとき、後段のスライドフレームを昇降させ前記スライドフレームに取り付けられるスライドフレーム部昇降機構とを備えたことを特徴とする。
【００１４】
【発明の実施の形態】
以下、本発明の実施の形態について説明する。
【００１５】
図１は、本発明に関わるスライド式昇降装置１０の全体構造を説明するための外観斜視図を示す。スライド式昇降装置１０は、４本の垂直固定フレーム２０と、垂直固定フレーム２０のそれぞれにスライド可能に挿入された４本の第１（１段目）スライドフレーム３０と、第１スライドフレーム３０のそれぞれにスライド可能に挿入された４本の第２（２段目）スライドフレーム４０と、第２スライドフレーム４０の上端に取り付けられた足場４１と、垂直固定フレーム２０の下端に固定される２本のサイドフレーム２１とフロントフレーム２２とで全体の枠組みが構成されている。
【００１６】
垂直固定フレーム２０には第１スライドフレーム３０を昇降させる固定フレーム部昇降機構５０が取り付けられ、第１スライドフレーム３０には第１スライドフレーム３０の昇降に連動し第２スライドフレーム４０を昇降させるスライドフレーム部昇降機構６０が取り付けられ、固定フレーム部昇降機構５０に装着される固定フレームベルト７０を牽引または巻戻す駆動部９０がフロントフレーム２２に固定されている。
【００１７】
駆動部９０は、駆動モータ９１と、駆動モータ９１の作動により回動するシャフト９４と、フロントフレーム２２に固定されたブラケット９３に回転自在に取り付けられたシャフト９４に固定された駆動ローラ９２とで主に構成され、足場４１を上昇させるときには駆動モータ９１を正転し、モータギア９１Ａとギア９４Ａを介してシャフト９４を回転させ、シャフト９４の左右端部に設けられた２個の駆動ローラ９２を矢印Ｒ１方向に回動させる。２個の駆動ローラ９２の外周にはそれぞれ２本の固定フレームベルト７０の端部がブラケット２５に取り付けられたガイドローラ５７を通し係止しているため、駆動ローラ９２の矢印Ｒ１方向の回動により４本の垂直固定フレーム２０にそれぞれ備えられた４本の固定フレームベルト７０を矢印Ｔ方向に牽引し、固定フレーム部昇降機構５０および駆動部９０により第１スライドフレーム３０と第２スライドフレーム４０をスライド上昇（矢印Ｐ１、Ｐ２）させ足場４１を上昇させる。足場４１の下降は、駆動モータ９１を逆転させ、駆動部９０により４本の固定フレームベルト７０を駆動ローラ９２から巻戻すことにより行うことができる。
【００１８】
図２は、固定フレーム部昇降機構５０が垂直固定フレーム２０に取り付けられスライドフレーム部昇降機構６０が第１スライドフレーム３０に取り付けられている側面図を示す。固定フレーム部昇降機構５０は、垂直固定フレーム２０の上端左右にブラケット５６がそれぞれ取り付けられ、この左右のブラケット５６にはガイドローラ５１がシャフト５１Ａにより回転自在に取り付けられ、シャフト５２、シャフト５３、シャフト５４およびシャフト５５が固定されている。
【００１９】
第１スライドフレーム３０の下端には第１スライドフレーム３０の両端にブラケット３２が取付穴３２Ａによりボルト（図示せず）で取り付けられ、ブラケット３２にはシャフト３１Ａを介してガイドローラ３１が回動自在に取り付けられている。固定フレームベルト７０は一端がシャフト５３に係止され、シャフト５２と、ガイドローラ３１と、ガイドローラ５１に掛けられ、垂直固定フレーム２０に回転自在に取り付けられたガイドローラ５７を介して、前記したごとく駆動ローラ９２に他端の端部が係止している。
【００２０】
スライドフレーム部昇降機構６０は、第１スライドフレーム３０の上端左右にブラケット６６がそれぞれ取り付けられ、この左右のブラケット６６にはガイドローラ６１とガイドローラ６２がそれぞれシャフト６１Ａとシャフト６２Ａにより回転自在に取り付けられている。
【００２１】
第２スライドフレーム４０の下端には第２スライドフレーム４０の両端にブラケット４２が取付穴４２Ａによりボルト（図示せず）で取り付けられ、ブラケット４２には半円筒部４３が取り付けられている。スライドフレームベルト８０は一端がシャフト５５に係止し、ガイドローラ６２と、半円筒部４３と、ガイドローラ６１に掛けられ、他端はシャフト５４に係止している。
【００２２】
なお、ガイドローラ３１、ガイドローラ５１、ガイドローラ５７、ガイドローラ６１およびガイドローラ６２の両端には環状のフランジがあり、固定フレームベルト７０またはスライドフレームベルト８０が移動するとき横方向にずれないようガイドしている。
【００２３】
足場４１を上昇させるときには、前記したごとく駆動部９０によりまず固定フレームベルト７０が矢印Ｔに示す下方に牽引される。固定フレームベルト７０が矢印Ｔに示す下方に牽引されると、固定フレームベルト７０はガイドローラ５１に掛けられているためガイドローラ５１とガイドローラ３１間で矢印Ｔ１に示す上方に牽引され、固定フレームベルト７０はシャフト５３により一端が係止しているため、ガイドローラ３１を回動させながら第１スライドフレーム３０を矢印Ｐ１に示す上方に移動させる。
【００２４】
第１スライドフレーム３０が矢印Ｐ１に示す上方に移動すると、第１スライドフレーム３０の上端に取り付けられているスライドフレーム部昇降機構６０も共に上方に移動し、スライドフレームベルト８０は前記したごとく一端がシャフト５５に係止し、ガイドローラ６２と、半円筒部４３と、ガイドローラ６１に掛けられ、他端はシャフト５４に係止しているため、半円筒部４３の上方左右で矢印Ｔ２に示す上方に牽引され、半円筒部４３を上昇させ、後段の第２スライドフレーム４０を矢印Ｐ２に示す上方に移動させる。
【００２５】
スライドフレーム部昇降機構６０の上昇作動により４本の第１スライドフレーム３０と第２スライドフレーム４０とが上昇するため、足場４１は水平状況を保ち上昇する。
【００２６】
足場４１の下降は、駆動モータ９１を逆転させ駆動部９０により４本の固定フレームベルト７０をガイドローラ６２から巻戻すことにより固定フレームベルト７０とスライドフレームベルト８０は前記したＴ１、Ｔ２と逆方向に移動し行うことができる。スライドフレーム部昇降機構６０は、足場４１を上昇または下降中に駆動モータ９１を停止し任意の高さに止めるようにすることもできる。また、駆動モータ９１により上昇または下降の速度を自在に変えるように調整することも容易にできる。
【００２７】
なお、上記実施例では駆動媒体として固定フレームベルト７０とスライドフレームベルト８０を使用したが、これに限定されることなくワイヤ、ロープ、チェーンなどを使用することができ、垂直固定フレーム２０、第１スライドフレーム３０および第２スライドフレーム４０を薄型の断面形状にするときに有効のものとして使用することが出来る。
【００２８】
また、上記実施例は４本の垂直固定フレーム２０を備えた構造について述べたが、昇降させるものの大きさや重量に応じて最小１本の垂直固定フレーム２０を備えた構造にすることができる。
【００２９】
さらに、上記実施例は、２段のスライドフレームを使用する例について述べたが、スライドフレームとスライドフレーム部昇降機構６０とを任意に増加させ、多段のスライドフレームを移動させスライド移動量を任意に設定するようにすることができる。
【００３０】
さらに、上記実施例は、作業者を昇降させるためのスライド式昇降装置１０について述べたが、その他、例えばベットや洗面台などの様々の装置の昇降に幅広く使用することができる。ベットの場合、特に、介護用のベットは高さを調整できるようにすることにより、介護者が中腰にならず介護を行うことができるという優れた効果を得ることができる。
【００３１】
他の実施例として、垂直方向のフレームの枠組を垂直固定フレーム２０と第１スライドフレーム３０とで構成し、第１スライドフレーム３０に足場４１を取り付け、第１スライドフレーム３０を固定フレーム部昇降機構５０により移動させ足場４１を昇降させるようにすることもでき、昇降移動量が比較的小さいものに使用するときにはさらに簡潔構造のものとすることができる。この実施例も前記実施例と同様に、例えばベットや洗面台などの様々の装置の昇降に幅広く使用することができる。
【００３２】
以上述べたごとく、スライド式昇降装置は、任意の下降位置から昇降量を任意の高さにまで自在に設定できる簡潔構造で廉価のスライド式昇降装置にすることができる。
【００３３】
また、昇降量が比較的低いものについては、垂直方向のフレームの枠組を垂直固定フレームと第１スライドフレームとで構成し、さらに簡潔構造にすることができる。
【００３４】
【発明の効果】
本発明のスライド式昇降装置は、横断面がロの字形状の垂直固定フレームと、前記垂直固定フレームに挿入されてスライド可能に垂直に取り付けられたスライドフレームと、一端が前記垂直固定フレームの上部の一方の側に固定され、前記スライドフレームの下部に設けられたガイドローラと前記垂直固定フレームの上部の他方の側に設けられたガイドローラとに掛けられたベルトまたはワイヤが牽引または巻戻しされることにより前記スライドフレームが昇降する固定フレーム部昇降機構とを備えたため、任意の下降位置から昇降移動量を所定の高さにまで自在に設定できる簡潔構造で廉価のものにすることができる。また、上昇または下降中に任意の高さに止めるように調整することもでき、上昇または下降の速度を自在に変えるように調整することも容易にできる。
【００３５】
また、本発明のスライド式昇降装置は、横断面がロの字形状の垂直固定フレームと、横断面がロの字形状の１段目のスライドフレームが前記垂直固定フレームに挿入されてスライド可能に垂直に取り付けられ横断面がロの字形状の２段目のスライドフレームが前記１段目のスライドフレームに挿入されてスライド可能に垂直に取り付けられ順次同様に横断面がロの字形状のＮ段目のスライドフレームが前段のスライドフレームに挿入されてスライド可能に垂直に取り付けられるＮ個のスライドフレームと、一端が前記垂直固定フレームの上部の一方の側に固定され、前記１段目のスライドフレームの下部に設けられたガイドローラと前記垂直固定フレームの上部の他方の側に設けられたガイドローラとに掛けられたベルトまたはワイヤが牽引または巻戻しされることにより前記１段目のスライドフレームが昇降する固定フレーム部昇降機構と、両端が前記垂直固定フレームまたは前段のスライドフレームの上部にそれぞれ固定され、当該スライドフレームの上部の一方の側に設けられたガイドローラと後段のスライドフレームの下部に設けられたガイドローラと前記当該スライドフレームの上部の他方の側に設けられたガイドローラとに掛けられたベルトまたはワイヤにより、当該スライドフレームが昇降したとき、後段のスライドフレームを昇降させ前記スライドフレームに取り付けられるスライドフレーム部昇降機構とを備えたため、任意の下降位置から昇降移動量を任意の高所の高さにまで自在に設定できる簡潔構造で廉価のものにすることができる。また、上昇中または下降中に任意の高さに止めるように調整することもでき、上昇または下降の速度を自在に変えるように調整することも容易にできる。
【図面の簡単な説明】
【図１】本発明に関わるスライド式昇降装置の全体構造を説明するための外観斜視図である。
【図２】固定フレーム部昇降機構が垂直固定フレームに取り付けられスライドフレーム部昇降機構が第１スライドフレームに取り付けられている側面図である。
【図３】従来から使用されている組立式作業台の側面図である。
【符号の説明】
１  組立式作業台
２  作業台ユニット
１０  スライド式昇降装置
２０  垂直固定フレーム
３０  第１スライドフレーム
３１、５１、５７、６１、６２  ガイドローラ
４０  第２スライドフレーム
４３  半円筒部
５０  固定フレーム部昇降機構
６０  スライドフレーム部昇降機構
７０  固定フレームベルト
８０  スライドフレームベルト
９０  駆動部
９１  駆動モータ
９２  駆動ローラ
【図１】
0004162104.tif 000002
【図２】
0004162104.tif 000003
【図３】
0004162104.tif 000004